(57)【要約】【課題】  ガラスを嵌め込み装着し、その外側に外側ガラスパネルが取り付けられて成るドア本体の外観を良好に保ちつつ、組立作業を容易に行なうことができる開口部装置を提供する。【解決手段】  本発明の開口部装置は、建物の開口に設けられる枠体と、この枠体内に開閉自在に設けられるドア本体１と、ドア本体１に設けられた開口部２２内に嵌め込み装着されるガラス２０と、このガラス２０の外側に位置して開口部２２を閉じる外側ガラスパネル２４とを備え、外側ガラスパネル２４が取付部材４８に接着剤により固定されて１つのユニットＵが形成され、外側ガラスパネル２４の外面がドア本体１の外面と面一になるように、ユニットＵの取付部材４８がドア本体１に取り付けられている。【選択図】      図２
2006226004.tif 000002
【特許請求の範囲】
【請求項１】
建物の開口に設けられる枠体と、この枠体内に開閉自在に設けられるドア本体と、前記ドア本体に設けられた開口部内に嵌め込み装着されるガラスと、このガラスの外側に位置して前記開口部を閉じる外側ガラスパネルとを備え、前記外側ガラスパネルが取付部材に接着剤により固定されて１つのユニットが形成され、前記外側ガラスパネルの外面が前記ドア本体の外面と面一になるように、前記ユニットの前記取付部材が前記ドア本体に取り付けられていることを特徴とする開口部装置。
【請求項２】
前記外側ガラスパネルが前記ドア本体の上下にわたって連続的に設けられていることを特徴とする請求項１に記載の開口部装置。
【発明の詳細な説明】
【技術分野】
【０００１】
本発明は、建物の開口に取り付けられる玄関ドア等の開口部装置に関する。
【背景技術】
【０００２】
一般に、ドアは、建物の開口に設けられる枠体と、この枠体内にヒンジを介して開閉自在に設けられるドア本体とを備えている。また、このドア本体には、装飾や採光を目的としてガラスが装着される場合がある。
【０００３】
前記ドア本体にガラスを装着する場合には、例えば、ドア本体に開口部を設け、この開口部内にガラスが嵌め込み装着される。この時、前記ガラスの周縁が押え体によって押えられ、また、前記ガラスの外側には前記開口部を閉じるように外側ガラスパネルが取り付けられる（例えば、特許文献１参照）。
【０００４】
【特許文献１】特開２００４−２７６３９号公報
【発明の開示】
【発明が解決しようとする課題】
【０００５】
ところで、特許文献１のように、ドア本体の開口部内にガラスを装着し且つその外側に外側ガラスパネルを取り付ける場合には、ガラスの周縁を押える押え体等に起因して、ドア本体の外面から外側ガラスパネルが突出し或いはドア本体の外面から外側ガラスパネルが内側に引き込んで位置される。すなわち、ドア本体には、ガラスを装着する開口部に段差が形成されてしまうことになる。このような段差は、ドア本体の外観を損ねてしまう場合もあり、改善が望まれる。
【０００６】
また、前記外側ガラスパネルを押え体に接着剤により固定する場合に、ドアの組立作業中にこの接着を行なうと、接着剤が硬化して外側ガラスパネルが固定されるまでに長い時間を要し、ドア本体の組立作業に時間がかかるという問題が生じるだけでなく、外側ガラスパネルの交換作業においても、接着剤を剥がして新たなガラスパネルを再度接着し直す必要があり、作業時間が非常に長くなる。
【０００７】
本発明は、前記事情に鑑みて為されたもので、ガラスを嵌め込み装着し、その外側に外側ガラスパネルが取り付けられて成るドア本体の外観を良好に保ちつつ、組立作業を容易に行なうことができる開口部装置を提供することを目的とする。
【課題を解決するための手段】
【０００８】
前記目的を達成するために、請求項１に記載の開口部装置は、建物の開口に設けられる枠体と、この枠体内に開閉自在に設けられるドア本体と、前記ドア本体に設けられた開口部内に嵌め込み装着されるガラスと、このガラスの外側に位置して前記開口部を閉じる外側ガラスパネルとを備え、前記外側ガラスパネルが取付部材に接着剤により固定されて１つのユニットが形成され、前記外側ガラスパネルの外面が前記ドア本体の外面と面一になるように、前記ユニットの前記取付部材が前記ドア本体に取り付けられていることを特徴とする。
【０００９】
この請求項１に記載の開口部装置においては、外側ガラスパネルの外面がドア本体の外面と面一の状態で取り付けられているため、ドア本体の外観を良好に保つことができる。また、外側ガラスパネルと取付部材を接着剤により接着して１つのユニットを形成し、このユニットをドア本体に取り付けるようにしているので、接着が必要なユニットを別工程で予め製造しておき、このユニットをドア本体の組立作業中に取り付けるようにして組立時の接着時間を節約することができるため、組立作業を短時間で簡単に行なうことができる。また、外側ガラスパネルの交換もユニットとして交換できるため、交換作業も短時間で簡単に行なうことができる。
【００１０】
また、請求項２に記載の開口部装置は、請求項１に記載された開口部装置において、前記外側ガラスパネルが前記ドア本体の上下にわたって連続的に設けられていることを特徴とする。
【００１１】
この請求項２に記載の開口部装置においては、外側ガラスパネルがドア本体の上下にわたって連続的に設けられているので、ドア本体の外観を斬新なデザインにすることができるとともに、採光上に有利である。
【発明の効果】
【００１２】
本発明の開口部装置によれば、外側ガラスパネルが取付部材に接着剤により固定されて１つのユニットが形成され、外側ガラスパネルの外面がドア本体の外面と面一になるように、ユニットの取付部材がドア本体に取り付けられるため、ガラスを嵌め込み装着し、その外側に外側ガラスパネルが取り付けられて成るドア本体の外観を良好に保ちつつ、組立作業を容易に行なうことができる。
【発明を実施するための最良の形態】
【００１３】
以下、図面を参照しながら、本発明の実施形態について説明する。
図１に示すように、本発明の実施形態に係る開口部装置は、建物の開口に設けられる枠体（図示せず）と、この枠体内にヒンジを介して開閉自在に設けられるドア本体１とを備えている。なお、室外に面するドア本体１の外側面には施錠装置１５が突出して設けられている。
【００１４】
図２〜図４から分かるように、ドア本体１は、合成樹脂の押出形材から成る矩形枠状に組み付けられた芯材（框体）５ａ，５ｂ，５ｃ，５ｄと、これらの矩形枠状の芯材５ａ，５ｂ，５ｃ，５ｄ内に配置される断熱材２と、室外に面する断熱材２の外側面に貼り付けられる外側表面材３と、室内に面する断熱材２の内側面に貼り付けられる内側表面材４とから主に構成されている。
【００１５】
また、ドア本体１には、装飾や採光を目的として例えば複層ガラス（ガラス）２０が装着されている。具体的には、ドア本体１の上下にわたって長尺な開口部２２が設けられ、この開口部２２内に複層ガラス２０が嵌め込み装着されている。また、複層ガラス２０の外側（室外側）には開口部２２を閉じるように装飾用または保護用の外側ガラスパネル２４が取り付けられている。この外側ガラスパネル２４はドア本体１の上下にわたって連続的に設けられている。
【００１６】
複層ガラス２０の取付構造を更に具体的に説明すると、開口部２２の周縁に沿って枠部材２６（例えば合成樹脂の押出形材から成る）が嵌め込み装着されており、この枠部材２６にはネジ３０により額縁支持体２８が固定されている。また、額縁支持体２８には、室外側からガラス２０の周縁を押える軟質押え体４６が嵌め込まれて装着されている。また、額縁支持体２８には、室内側からガラス２０の周縁を押える軟質押え体４２と一体に形成されている硬質押え体４４が、クリップ４５と共に、ネジ４０により固定されている。硬質押え体４４の外側には、方形状の額縁部材３４がクリップ４５の係合部に嵌合されて固定されている。なお、額縁部材３４は、必要に応じてさらにネジ等により額縁支持体２８等に固定するようにしてもよい。
【００１７】
そして、外側ガラスパネル２４は、四角枠状の取付部材４８に外面に接着剤により固定されて、１つのユニットＵが構成されている。外側ガラスパネル２４の外面がドア本体１の外面（室外に面する表面）６０と面一となるように、ユニットＵの取付部材４８がネジ５０により額縁支持体２８に固定されている。
【００１８】
以上のように、本実施形態においては、外側ガラスパネル２４の外面がドア本体１の外面と面一の状態で、ユニットＵがドア本体１に取り付けられているため、ドア本体１の外観を良好に保つことができる。
また、外側ガラスパネル２４と取付部材４８を接着剤により接着して１つのユニットＵを構成し、このユニットＵをドア本体１に取り付けるようにしているので、接着が必要なユニットＵを別工程で予め製造しておき、このユニットＵをドア本体１の組立作業中に取り付けるようにして、組立時の接着時間を節約することができるため、組立作業を短時間で簡単に行なうことができる。また、外側ガラスパネル２４の交換もユニットＵとして交換できるので、交換作業も短時間でかつ簡単に行なうことができる。
【００１９】
また、本実施形態の開口部装置においては、外側ガラスパネル２４がドア本体１の上下にわたって連続的に設けられているため、ドア本体１の外観を斬新なデザインにすることができる。
【産業上の利用可能性】
【００２０】
本発明は、建物の開口に開閉可能に取り付けられる玄関ドア等の様々な開口部装置に適用することができる。
【図面の簡単な説明】
【００２１】
【図１】（ａ）は本発明の実施形態に係る開口部装置のドア本体の室内側正面図、（ｂ）は（ａ）のドア本体の室外側正面図である。
【図２】図１の（ａ）のＡ−Ａ線に沿う断面図である。
【図３】図１の（ａ）のＢ−Ｂ線に沿う断面図である。
【図４】図１の（ａ）のＣ−Ｃ線に沿う断面図である。
【符号の説明】
【００２２】
１    ドア本体
２０    ガラス
２２    開口部
２４    外側ガラスパネル
４８    取付部材
Ｕ    ユニット
【図１】
2006226004.tif 000003
【図２】
2006226004.tif 000004
【図３】
2006226004.tif 000005
【図４】
2006226004.tif 000006